(57)【要約】  開示する実施例は、ビデオ信号を修正するシステムと方法に関する。システム（１６）は、組み込まれた画像設定データを含むビデオ信号を復号化する少なくとも１つのデコーダ（１４）と、システム（１６）がＯＳＤ（画面上表示）モードで動作しているかどうかを検出し、もしシステム（１６）がＯＳＤモードになっていなければ、組み込まれた画像設定データを適用し、もしシステム（１６）がＯＳＤモードになっていれば、組み込まれた画像設定データを適用しないビデオ・プロセッサ（１８）と、から成る。この方法は、組み込まれた画像設定データを含むビデオ信号を復号化するステップと、システム（１６）がＯＳＤモードで動作しているかどうか検出するステップと、システム（１６）がＯＳＤモードになっていなければ、組み込まれた画像設定データを適用するステップと、システム（１６）がＯＳＤモードになっていれば、組み込まれた画像設定データを適用しないステップと、から成る。
2006528372.tif 000002
【特許請求の範囲】
【請求項１】
ビデオ信号を修正するシステム（１６）であって、
組み込まれた（ｅｍｂｅｄｄｅｄ）画像設定データを含むビデオ信号を復号化する少なくとも１つのデコーダ（１４）と、ビデオ・プロセッサ（１８）と、から成り、
前記ビデオ・プロセッサ（１８）は、
システム（１６）がＯＳＤ（画面上表示）モードで動作しているかどうかを検出し、
システム（１６）がＯＳＤモードで動作していなければ、前記組み込み画像設定データを適用し、そして、
システム（１６）がＯＳＤモードで動作していれば、前記組み込み画像設定データを適用しない、前記ビデオ信号修正システム（１６）。
【請求項２】
組み込まれた画像設定データが画面形式（スクリーン・フォーマット）データから成る請求項１記載のシステム（１６）。
【請求項３】
組み込まれた画像設定データが測色データから成る、請求項１記載のシステム（１６）。
【請求項４】
前記測色データに基づいて色変換を行う色変換装置（２２）を具える、請求項３記載のシステム（１６）。
【請求項５】
ビデオ信号に基づいて画像を表示するように構成される表示装置（ディスプレイ）を具える、請求項１記載のシステム（１６）。
【請求項６】
システム（１６）がＯＳＤモードで動作していれば、ビデオ・プロセッサ（１８）がフラグをセットする、請求項１記載のシステム（１６）。
【請求項７】
システムがテレビジョン受信機の一部を成す、請求項１記載のシステム（１６）。
【請求項８】
ビデオ信号を変更する方法であって、
組み込まれた画像設定データを含むビデオ信号を復号化するステップと、
システム（１６）がＯＳＤモードで動作しているかどうかを検出するステップと、
システム（１６）がＯＳＤモードで動作していなければ、前記組み込み画像設定データを適用するステップと、
システム（１６）がＯＳＤモードで動作していれば、前記組み込み画像設定データを適用しないステップと、から成る、前記方法。
【請求項９】
組み込まれた画像設定データに画面形式データが含まれるかどうかを判断するステップを含む、請求項８記載の方法。
【請求項１０】
組み込まれた画像設定データに測色データが含まれるかどうかを判断するステップを含む、請求項８記載の方法。
【請求項１１】
測色データに基づいて色変換を実行するステップを含む、請求項１０記載の方法。
【請求項１２】
ビデオ信号に基づいて画像を表示するステップを含む、請求項８記載の方法。
【請求項１３】
システム（１６）がＯＳＤモードで動作していれば、フラグをセットするステップを含む、請求項８記載の方法。
【請求項１４】
ビデオ信号を変更するシステム（１６）であって、
組み込まれた画像設定データを含むビデオ信号を復号化する手段（１４）と、
システム（１６）がＯＳＤモードで動作しているかどうかを検出する手段（１８）と、
システム（１６）がＯＳＤモードで動作していなければ、前記組み込み画像設定データを適用する手段（１８）と、
システム（１６）がＯＳＤモードで動作していれば、前記組み込み画像設定データを適用しない手段（１８）と、から成る、前記ビデオ信号変更システム（１６）。
【請求項１５】
前記組み込み画像設定データが画面形式データから成る、請求項１４記載のシステム（１６）。
【請求項１６】
前記組み込み画像設定データが測色データから成る、請求項１４記載のシステム（１６）。
【請求項１７】
測色データに基づいて色変換を実行する手段（２２）を含む、請求項１６記載のシステム（１６）。
【請求項１８】
ビデオ信号に基づいて画像を表示するように構成される表示装置（ディスプレイ）を具える、請求項１４記載のシステム（１６）。
【請求項１９】
システム（１６）がＯＳＤモードで動作していれば、前記検出手段（１８）がフラグをセットする、請求項１４記載のシステム（１６）。
【請求項２０】
前記システムがテレビジョン受信機の一部を成す、請求項１４記載のシステム（１６）。
【発明の詳細な説明】
【技術分野】
【０００１】
本発明は、一般に、テレビジョン受信機／モニタでのビデオ番組の表示に関する。特に本発明はＯＳＤ（Ｏｎ  Ｓｃｒｅｅｎ  Ｄｉｓｐｌａｙ）モードまたはグラフィック・セントリック（Ｇｒａｐｈｉｃ  Ｃｅｎｔｒｉｃ）モードでビデオ信号が表示されるとき、チャンネルの変更による画面上の変動を減じる方法に関する。
【背景技術】
【０００２】
本項は以下に説明する本発明に関する種々の態様を読者に紹介するものである。以下に述べる事項は、本発明の種々の態様をより良く理解するための背景情報を読者に提供するのに役立つものと信じられる。従って、以下の記述はこのような観点で読まれるべきで、従来技術を受け入れるものではない。
【０００３】
最近のビデオ・システムは、ビデオ表示を支援するためにオン‐スクリーン（画面上）表示またはグラフィック・セントリック・モード（まとめて、「ＯＳＤ」と称す）のような、洗練されたビデオ表示技術を益々多用している。ＯＳＤは、オン・スクリーン・ガイドおよびブラウザのような機能を容易にする。このセットアップで、ビデオ（映像）は画面全体よりも小さい面積を占めるウインドウ内に表示される。
【０００４】
通常の、非ＯＳＤ動作の間、ディスプレイの画像設定（セッティング）は、チャンネル変更やＣＭブレークなど種々の理由で素早く変化する。画像設定におけるこれらの素早い変化に応答して、ケーブル・ボックスのようなデコーダ、あるいはテレビジョン受信機またはディジタル光投写システム（ＤＬＰ）のようなディスプレイは、画面形式（ｆｏｒｍａｔ）やディスプレイの測色（ｃｏｌｏｒｉｍｅｔｒｙ）を自動的に調節できる。この調節は、入来するビデオ信号中に組み込まれる画像データに基づいて、またはビデオ信号の形式により定められるデフォルト画像データに基づく。新しい画像設定は、かなり突然に行われるが、入力が変化すると画面全体が変化するので、大抵の視聴者はこの突然の変化に気づかない。ＯＳＤを使用してビデオ（映像）が表示されると、入力が変化してもＯＳＤは変化しない。このような状況で、画像データの変化に反応して画像設定がディスプレイで調節されると、画面上で目につくほどの変化が突然起こり視聴者を困らす。
【発明の開示】
【０００５】
（発明の概要）
ここに開示する実施例は、ビデオ信号を変更するためのシステムと方法に関する。このシステムは、組み込み（ｅｍｂｅｄｄｅｄ）画像設定データを含むビデオ信号を復号化する少なくとも１つのデコーダと、システムがＯＳＤモードで動作しているかどうかを検出し、システムがＯＳＤモードで動作していなければ、前記組み込み画像設定データを適用し、システムがＯＳＤモードで動作していれば、前記組み込み画像設定データを適用しないビデオ・プロセッサと、から成る。この方法は、組み込み画像設定データを含むビデオ信号を復号化するステップと、システムがＯＳＤモードで動作しているかどうかを検出するステップと、システムがＯＳＤモードで動作していなければ、組み込み画像設定データを適用するステップと、システムがＯＳＤモードで動作していれば、組み込み画像設定データを適用しないステップと、から成る。
【０００６】
本発明の特性と利点は、例えば、以下に記述する説明から一層明らかとなる。  
【発明を実施するための最良の形態】
【０００７】
本発明の具体的実施例（１つまたは複数の）を以下に説明する。説明を簡潔にするためこの明細書では、実施例の特徴をすべて記述しているわけではない。このような実施例の開発においては、エンジニアリングあるいは設計プロジェクトにおけるように、システム関連およびビジネス関連の制約（実施により異なる）の遵守のような、開発者の特定の目標を達成するために、実施に特有の決定を多数しなければならないことが理解されるべきである。更に、このような開発の努力は複雑で且つ時間を要するが、本開示から利益を得られる通常の知識を有する者にとっては、設計、組立ておよび製作の日常的作業であることが理解されるべきである。
【０００８】
図１は、本発明の実施例が使用される、アナログおよびディジタルのビデオ・デコーダ入力を有するビデオ・システムのブロック図である。このブロック図は全体が参照番号１０で表される。ビデオ・システム１０は、デコーダ装置１６と表示装置（ディスプレイ）３０を具える。アナログ信号デコーダ１２およびディジタル信号デコーダ１４は、デコーダ・ユニット（装置）１６の中にある。これら２つの形式の信号デコーダは、ケーブル・テレビジョンまたは衛星テレビジョンのプロバイダのような、ビデオ・プロバイダからの入来ビデオ信号を受信するように構成される。
【０００９】
入来ビデオ信号が受信されると、測色データまたは画面形式データのような画像データが放送者によって入来ビデオ信号内に符号化されているかどうかをデコーダ装置１６が確かめる。この確認は、例えば、ビデオ・プロセッサ１８で行われる。入来ビデオ信号に画像データが組み込まれていれば、それが抽出される。ビデオ・システム１０が現在、ＯＳＤモードまたは他のグラフィック・セントリック・モード（まとめて、ＯＳＤと称す）で動作していなければ、組み込まれた画像データが使用され、画面形式とそれに関連する色変換マトリクスを選択する。ビデオ・システム１０が現在、ＯＳＤモードで動作していれば、画面形式はそのまま変更されず、色変換マトリクスが選択されて、ＯＳＤの現在の測色設定（ｃｏｌｏｒｉｍｅｔｒｙ  ｓｅｔｔｉｎｇｓ）に適合するようにビデオ信号を変換する。ＯＳＤの現在の測色設定は、現在ビデオ信号を表示するためにビデオ・システム１０で使用されている測色設定である。これらの設定は、種々の要素（表示装置の形式、あるいは現在表示されているビデオ信号の形式など）に基づく。
【００１０】
入来ビデオ信号に画像データが組み込まれていなければ、デフォルト（ｄｅｆａｕｌｔ）画像データが代用される。デフォルト画像データは、入来ビデオ信号の形式に基づいて定められる。例えば、入来ビデオ信号がＮＴＳＣアナログ・ビデオ信号であれば、測色標準１７０Ｍが使用される、ビデオ信号がアナログ高精細度ビデオ信号であれば、標準高精細度カラー・イメージャリ（ｃｏｌｏｒ  ｉｍａｇｅｒｙ）２７４測色法が使用される。デフォルト画像データは、いかなる形式の入力ビデオ信号についてもプログラムすることができ、当業者に知られている要素に基づいて変えられる。
【００１１】
アナログ・デコーダとディジタル・デコーダは入来ビデオ信号をビデオ・プロセッサ１８に送信する。ビデオ・システム１０がＯＳＤモードで動作していれば、ビデオ・プロセッサはビデオ信号とＯＳＤを合成する。ＯＳＤは、ビデオ・システム１０内部の他の場所でも入来ビデオ信号と合成される。次にビデオ信号は、色変換装置２２で色変換処理される。色変換処理は、ビデオ・プロセッサ１８内部で、表示装置３０内部で（ブロック２６で示すように）、あるいはこれら３つの場所を組み合わせた内部でも、行われる。色変換処理は、デコーダ・ユニット（装置）１６で発生された色変換マトリクスを適用する。色変換マトリクスが適用されると、入来ビデオ信号の測色設定は、ＯＳＤに対する現在の画像設定に良好に適合する。
【００１２】
入来ビデオ信号は次に、表示装置３０に送信される。上述したように、ビデオ信号は、表示装置３０内に在る色変換装置２６内で部分的にまたは完全に色変換される。同様にして、デコーダ装置１６、表示装置３０またはこの２つを組み合わせて、画面形式の全体または一部が調節される。入来ビデオ信号は次に、ディスプレイ２８に表示される。従って、たとえ入来ビデオの画像設定が現在の画像設定と異なっても、入来ビデオ信号は現在の画像設定と適合するように調節されているので、入来ビデオ信号が表示されるとき、ほとんど変動がない。
【００１３】
図２は、本発明の実施例により、ビデオ・システムがＯＳＤ／グラフィック・セントリック・モードになっているか確認するプロセスを示す流れ図である。プロセスは、全体が参照番号４０で表され、ビデオ・システムの背後で絶えず働いている。ブロック４２で、プロセスが始まり、制御コマンドを受け取る。制御コマンドは、多数の機能（チャンネルの変更、入力の変更、ＯＳＤのオン／オフなど）を実行するようビデオ・システムを指図する。制御コマンドは、多数のソース（システムのリモコン／ボタンなど）から受信される。制御コマンドを処理して後、ブロック４６で、ビデオ・システムの現状が点検される。システムがＯＳＤモードになっていれば、ブロック４８で、ＯＳＤフラグがセット（設定）され、そうでなければ、ブロック５０で、ＯＳＤフラグがクリア（解除）される。ブロック５２で、通常の処理が継続し、ブロック５４で、プロセスが終了する。
【００１４】
図３は、本発明の実施例による画像設定選択プロセスを示す流れ図を示す。このプロセスは全体が参照番号６０で表される。ブロック６４で、ＯＳＤフラグがセットされているかどうか確認するテストが行われる。ＯＳＤフラグがセットされていれば、ブロック６６で、現在の画面形式が維持され、ブロック６８で、システムは現在の測色設定に適合するように入来ビデオの測色設定を変換する。もしＯＳＤフラグがクリア（ｃｌｅａｒ）であれば、ブロック７０で、入来ビデオ信号内に組み込まれた画面形式が選択される。その場合、ブロック７２で、入来ビデオ信号に基づいて、色変換マトリクスが発生される。ブロック７４で、プロセスが終了する。
【００１５】
この詳細な説明は、２つの個別の画像設定（画面形式と測色）に集中している。注目すべきは、画面形式と測色は単に、画像設定の２つの例にすぎないことであり、他の例も本発明の範囲内に入る。
【００１６】
本発明は種々の変更および代替形態を受け入れるが、具体的実施例が図面に示されており、本文中に詳細に説明されている。しかしながら、本発明はここに開示する特定の形態に限定されず、特許請求の範囲に記載の本発明の技術思想と範その囲内に入るすべての変更、同等物および代替物も含まれるものとする。
【図面の簡単な説明】
【００１７】
【図１】本発明の実施例による、アナログおよびディジタルのビデオ・デコーダの入力を有するビデオ・システムのブロック図である。
【図２】本発明の実施例による、システムがＯＳＤモード（またはグラフィック・セントリック・モード）にあるかを判断するプロセスを示すフローチャートである。
【図３】本発明の実施例による画像設定選択プロセスを示すフローチャートである。
【図１】
2006528372.tif 000003
【図２】
2006528372.tif 000004
【図３】
2006528372.tif 000005
【国際調査報告】
2006528372.tif 000006